(57)【特許請求の範囲】
【請求項１】
画像処理に用いるパラメータを調整する機能を有する画像表示装置であって、
入力された画像に順に画像処理を施す複数の画像処理部と、
前記複数の画像処理部から、前記パラメータの調整対象となる１つの画像処理部を選択する選択部と、
前記選択された画像処理部に入力される画像の画素値及び前記選択された画像処理部から出力される画像の画素値をそれぞれ用いて、前記選択された画像処理部による画像処理前の画像及び前記選択された画像処理部による画像処理後の画像を生成する生成部と、
前記生成された前記選択された画像処理部による画像処理前の画像及び前記選択された画像処理部による画像処理後の画像を表示部に出力する出力部と、を有することを特徴とする画像表示装置。
【請求項２】
前記生成部は、前記選択された画像処理部に入力される画像の画素値及び前記選択された画像処理部から出力される画像の画素値を、それぞれ、前記選択された画像処理部による画像処理前の画像の画素値及び前記選択された画像処理部による画像処理後の画像の画素値とすることを特徴とする請求項１に記載の画像表示装置。
【請求項３】
参照用画像が重畳された第１合成画像を生成する第１合成部と、
グラフィックス画像が重畳された第２合成画像を生成する第２合成部と、
をさらに有し、
前記生成部は、前記選択された画像処理部に入力される画像における前記参照用画像の画素値及び前記選択された画像処理部から出力される画像における前記参照用画像の画素値をそれぞれ用いて、前記選択された画像処理部による画像処理前の画像及び前記選択された画像処理部による画像処理後の画像が配置された画像を前記グラフィックス画像として生成し、
前記出力部は、前記第２合成画像を前記表示部に出力することを特徴とする請求項１または２に記載の表示装置。
【請求項４】
前記第１合成部は、前記画像表示装置に入力された画像に参照用画像を合成することにより前記第１合成画像を生成し、前記第１合成画像を最も前段の画像処理部に出力し、
前記第２合成部は、最も後段の画像処理部から出力された画像にグラフィックス画像を合成することにより前記第２合成画像を生成することを特徴とする請求項３に記載の表示装置。
【請求項５】
前記生成部は、
前記選択された画像処理部による画像処理前の画像及び前記選択された画像処理部による画像処理後の画像を生成する第１パーツ生成部と、
前記グラフィックス画像の領域のうち、前記選択された画像処理部による画像処理前の画像の領域及び前記選択された画像処理部による画像処理後の画像の領域以外の領域の画像を生成する第２パーツ生成部と、
前記第１パーツ生成部で生成された画像と前記第２パーツ生成部で生成された画像とを合成することにより、前記グラフィックス画像を生成する合成部と、
を有することを特徴とする請求項３または４に記載の表示装置。
【請求項６】
前記参照用画像、前記選択された画像処理部による画像処理前の画像、及び、前記選択された画像処理部による画像処理後の画像は、パッチ画像であることを特徴とする請求項３〜５のいずれか１項に記載の表示装置。
【請求項７】
画像処理に用いるパラメータを調整する機能を有する画像表示装置の制御方法であって、
複数の画像処理部が入力された画像に順に画像処理を施すステップと、
前記複数の画像処理部から、前記パラメータの調整対象となる１つの画像処理部を選択するステップと、
前記選択された画像処理部に入力される画像の画素値及び前記選択された画像処理部から出力される画像の画素値をそれぞれ用いて、前記選択された画像処理部による画像処理前の画像及び前記選択された画像処理部による画像処理後の画像を生成するステップと、
前記生成された前記選択された画像処理部による画像処理前の画像及び前記選択された画像処理部による画像処理後の画像を表示部に出力するステップと、
を有することを特徴とする画像表示装置の制御方法。
【発明の詳細な説明】
【技術分野】
【０００１】
本発明は、画像表示装置及びその制御方法に関する。
【背景技術】
【０００２】
近年、デジタルＴＶ装置の高画質化に伴い、画像処理の重要性が高まっている。デジタルＴＶ装置のような画像表示装置では、動画像を高画質にすることを主目的とする画像処理が画像に施される。動画像上に重畳される静止画像（グラフィックス信号）にそのような画像処理を施すと、そのエッジがぼける等の画質の劣化が生じてしまう。そのため、グラフィックス信号には画像処理を施さないことが望ましい。そこで、画像表示装置に利用されるＬＳＩにおいて、入力された映像信号にのみ画像処理を施し、該画像処理が施された映像信号にグラフィックス信号を合成する構成が多く用いられている。
【０００３】
また、デジタルＴＶ装置の画質調整ＧＵＩとして、画像処理（色補正）前のパッチ画像及び画像処理後のパッチ画像を並べて表示し、画像処理の効果を分かりやすくユーザへ提示するものがある。図８は画質調整ＧＵＩを表す模式図である。図８において、画像処理前のパッチ画像（基準色のパッチ画像）が左側に示されており、或る画質調整項目の補正値を１０に設定した場合の、画像処理後のパッチ画像が右側に示されている。ユーザは左右のパッチ画像を比較することによって画質を好みの画質に調整することができる。パッチ画像のようなテストパターンを表示する技術は、例えば、特許文献１に開示されている。具体的には、特許文献１には、表示したテストパターンを元に画質を補正する方法が開示されている。
【０００４】
また、デジタルＴＶ装置の画質調整ＧＵＩの表示方法としては、予め計算した画像処理後の画素値を記憶しておき、ユーザの設定した補正値に応じて画像処理後のパッチ画像の画素値を選択する方法が一般的である。しかしながら、ユーザの設定できるパラメータ（補正値）の数や幅の増大が進んでおり、記憶容量の観点から全てのパラメータに対する画像処理後の画素値を記憶するのは困難になってきている。
【０００５】
そこで、同じ画素値の２つのパッチ画像Ａ１，Ａ２のうち、パッチ画像Ａ１を画像処理前の映像信号に合成し、パッチ画像Ａ２を画像処理後の映像信号に合成する方法が考えられる。この方法によれば、パッチ画像Ａ１にのみ画像処理が施されるため、画像処理前のパッチ画像と画像処理後のパッチ画像を表示することができる。
【先行技術文献】
【特許文献】
【０００６】
【特許文献１】特開２００３−１３１６４０号公報
【発明の概要】
【発明が解決しようとする課題】
【０００７】
画像表示装置で利用されるＬＳＩは複数の画像処理回路を有するのが一般的である。そのため、上述した方法では、画像処理前のパッチ画像として、画像処理が全く施されていない画像が表示され、画像処理後のパッチ画像として、全ての画像処理が施された画像が表示されることになる。しかしながら、１つの画質調整項目で全ての画像処理回路が制御されるわけではない（他の画質調整項目によっても画像処理回路が制御される）ため、ユーザが選択した画質調整項目による画像処理の効果が分かりにくくなってしまう。また、ユーザが或る画質調整項目の補正値を０（補正無し）に設定した場合であっても画像処理前のパッチ画像の画素値と画像処理後のパッチ画像の画素値とが一致せず、ユーザの混乱
を招く虞がある。
【０００８】
本発明は、画像処理の効果を容易に認識可能とし、ひいてはユーザの利便性を向上することのできる画像表示装置及びその制御方法を提供することを目的とする。
【課題を解決するための手段】
【０００９】
本発明の画像表示装置は、画像処理に用いるパラメータを調整する機能を有する画像表示装置であって、入力された画像に順に画像処理を施す複数の画像処理部と、前記複数の画像処理部から、前記パラメータの調整対象となる１つの画像処理部を選択する選択部と、前記選択された画像処理部に入力される画像の画素値及び前記選択された画像処理部から出力される画像の画素値をそれぞれ用いて、前記選択された画像処理部による画像処理前の画像及び前記選択された画像処理部による画像処理後の画像を生成する生成部と、前記生成された前記選択された画像処理部による画像処理前の画像及び前記選択された画像処理部による画像処理後の画像を表示部に出力する出力部と、を有することを特徴とする。
【００１０】
本発明の画像表示装置の制御方法は、画像処理に用いるパラメータを調整する機能を有する画像表示装置の制御方法であって、複数の画像処理部が入力された画像に順に画像処理を施すステップと、前記複数の画像処理部から、前記パラメータの調整対象となる１つの画像処理部を選択するステップと、前記選択された画像処理部に入力される画像の画素値及び前記選択された画像処理部から出力される画像の画素値をそれぞれ用いて、前記選択された画像処理部による画像処理前の画像及び前記選択された画像処理部による画像処理後の画像を生成するステップと、前記生成された前記選択された画像処理部による画像処理前の画像及び前記選択された画像処理部による画像処理後の画像を表示部に出力するステップと、を有することを特徴とする。
【発明の効果】
【００１１】
本発明によれば、画像表示装置及びその制御方法において、画像処理の効果を容易に認識可能とし、ひいてはユーザの利便性を向上することができる。
【図面の簡単な説明】
【００１２】
【図１】本実施形態に係る画像表示装置の概略構成の一例を表すブロック図。
【図２】画像処理制御部の概略構成の一例を表すブロック図。
【図３】画質調整ＧＵＩ実行部の処理フローの一例を表すフロー図。
【図４】ＧＵＩ生成部の概略構成の一例を表すブロック図。
【図５】ＧＵＩ生成部の処理フローの一例を表すフロー図。
【図６】画像処理部の概略構成の一例を表すブロック図。
【図７】画素値取得部の概略構成の一例を表すブロック図。
【図８】画質調整ＧＵＩの一例を表す模式図。
【発明を実施するための形態】
【００１３】
以下、本実施形態に係る画像表示装置及びその制御方法について説明する。本実施形態に係る画像表示装置は、画像処理に用いるパラメータを調整する機能を有する。
図１は、本実施形態に係る画像表示装置の構成の概略を表すブロック図である。
放送受信部１０１は、アンテナまたはケーブルテレビ回線を介して入力されたデジタル放送信号を受信する。放送受信部１０１は、複数のチャンネルの信号を受信するように構成されており、受信したデジタル放送信号から、選択されたチャンネルの信号を選局する。また、選局したチャンネルの信号に対して、復調処理、誤り訂正処理等、デジタル放送規格により定められた処理を施し、ＴＳ（Transport Stream）信号を生成する。
【００１４】
復号部１０２は、放送受信部１０１により生成されたＴＳ信号を、映像信号および音声信号などのコンテンツ信号と、ＳＩ（Service Information）情報などの制御信号とに分
離する。ここで、コンテンツ信号は暗号化されているため、復号部１０２は、コンテンツ信号の復号を行う。また、復号された信号はＭＰＥＧ２（Motion Picture Expert Group 
phase 2）等の動画圧縮方式により圧縮されているため、復号部１０２は、復号されたコ
ンテンツ信号に伸張処理を施し、映像信号を生成する。
【００１５】
第１合成部１０３は、復号部１０２より入力される映像信号と、パッチ生成部１０４より入力される参照用パッチ画像とを合成して出力する。合成は、復号部１０２より入力される映像信号に基づく画像の上に参照用パッチ画像が重畳されるように行われる。
【００１６】
パッチ生成部１０４は、第１画像処理部１１１および第２画像処理部１１２における画像処理の効果を確認するための処理に用いる画像（参照用パッチ画像）を生成する。具体的には、画質調整ＧＵＩ実行部１０６から指示された位置、大きさ、画素値の参照用パッチ画像が生成される。パッチ生成部１０４によって生成された参照用パッチ画像は、第１合成部１０３において映像信号と合成された後、映像信号として第１画像処理部１１１へ入力される。
【００１７】
画像処理制御部１０５は、第１画像処理部１１１および第２画像処理部１１２において映像信号に施される画像処理を制御する。画像処理制御部１０５の詳細については後述する。
画質調整ＧＵＩ実行部１０６は、ＧＵＩ生成部１０７、パッチ生成部１０４、画像処理制御部１０５および画素値取得部１１４を利用して、画質調整ＧＵＩ（Graphical User Interface）の生成を制御する。画質調整ＧＵＩ実行部１０６の詳細については後述する。
ＧＵＩ生成部１０７は、画質調整ＧＵＩ実行部１０６からの指示に応じて画質調整ＧＵＩを生成し、グラフィックス信号として出力する。ＧＵＩ生成部１０７の詳細については後述する。
【００１８】
第１画像処理部１１１および第２画像処理部１１２は、入力された画像（映像信号）に順に画像処理を施す。画像処理は、例えば、ガンマ調整処理やノイズリダクション処理等である。第１画像処理部１１１および第２画像処理部１１２の詳細については後述する。なお、画像処理部（画像処理回路）の数は２つに限らない。画像処理回路は３つ以上であってもよい。
【００１９】
第２合成部１１３は、第２画像処理部１１２より出力された映像信号（画像処理済みの映像信号）と、ＧＵＩ生成部１０７より出力されたグラフィックス信号とを合成し、不図示の表示パネル（表示部）へ出力する。合成は第２画像処理部１１２より出力された映像信号に基づく画像の上にＧＵＩ生成部１０７より出力されたグラフィックス信号に基づく画像が重畳されるように行われる。すなわち、第２画像処理部１１２より出力された映像信号のうち、ＧＵＩ生成部１０７より出力されたグラフィックス信号に基づく画像によって上書きされた領域の信号は表示パネルへ出力されない。
画素値取得部１１４は、映像信号から、特定の座標にある画素の画素値を取得する。画素値取得部１１４の詳細については後述する。
【００２０】
次に、画像処理制御部１０５の詳細について説明する。図２は、画像処理制御部１０５の構成の概略を表すブロック図である。
ユーザ設定値入力部２０１は、画質調整ＧＵＩ実行部１０６からユーザ設定値を受信し、パラメータ算出部２０２へ送信する。ユーザ設定値は、画質調整ＧＵＩを利用してユーザが設定した値（画質調整項目の補正値）であり、第１画像処理部１１１や第２画像処理部１１２へ設定するパラメータとは異なる値であることが一般的である。画質調整ＧＵＩの画質調整項目は、例えば、コントラスト等である。
【００２１】
パラメータ算出部２０２は、ユーザ設定値入力部２０１から受信したユーザ設定値を、第１画像処理部１１１または第２画像処理部１１２へ設定するパラメータへ変換し、パラ
メータ設定部２０３へ送信する。
【００２２】
パラメータ設定部２０３は、パラメータ算出部２０２より受信したパラメータを、パラメータの種類に応じて第１画像処理部１１１または第２画像処理部１１２へ設定する。パラメータの設定は、レジスタ書き込みのように画像処理ハードウエアを直接制御する方法であってもよいし、画像処理制御ソフトウエアへパラメータを送信する方法であってもよい。
【００２３】
次に、画質調整ＧＵＩ実行部１０６の詳細について説明する。図３は、画質調整ＧＵＩ実行部１０６の処理を表すフロー図である。
まず、画質調整ＧＵＩ実行部１０６は、ユーザからの指示を待つ（Ｓ３０１）。ユーザからの指示はリモコン等を用いて行われる。リモコンには、通常、上下左右キーや決定キー等が備わっており、ユーザは、上下左右キーを用いて画質調整項目の選択やユーザ設定値の設定を行う。
【００２４】
ユーザからの指示があると、画質調整ＧＵＩ実行部１０６は、該指示が画質調整の終了指示であるか否かを判定する（Ｓ３０２）。指示が終了指示であった場合には、画質調整ＧＵＩの生成を終了する。指示が終了指示でなかった場合には、画質調整ＧＵＩ実行部１０６は、該指示によってユーザ設定値が変更されたか否かを判断する（Ｓ３０３）。ユーザ設定値の変更は、画質調整項目が選択された状態でユーザがリモコンの上下キーが押下すること等によって行われる。
【００２５】
ユーザからの指示によってユーザ設定値が変更された場合には、画質調整ＧＵＩ実行部１０６が、画像処理制御部１０５にユーザ設定値を送信し（Ｓ３０４）、Ｓ３０５へ進む。それにより、画像処理制御部１０５でユーザ設定値がパラメータに変換され、第１画像処理部１１１または第２画像処理部１１２に設定される。即ち、第１画像処理部１１１または第２画像処理部１１２のパラメータが調整される。ユーザからの指示によってユーザ設定値が変更されなかった場合には、Ｓ３０５へ進む。
【００２６】
Ｓ３０５では、画質調整ＧＵＩ実行部１０６が、パッチ生成部１０４に参照用パッチ画像の生成を指示する。参照用パッチ画像の生成位置および大きさは、画質調整ＧＵＩのデザインに応じて、表示パネルに表示されないように、すなわち、画質調整ＧＵＩの透過率が０であるパーツによって隠れる位置するように設定される。
【００２７】
次に、画質調整ＧＵＩ実行部１０６は、ユーザ設定値に応じて画素値取得情報を生成し、画素値取得部１１４へ通知する（Ｓ３０６）。画素値取得情報には、画素値を取得する画素の座標（取得対象座標）及び画素値を取得する映像信号（取得対象映像信号）を表す情報が含まれている。取得対象座標は、Ｓ３０５の指示により生成された参照用パッチ画像の画素の座標であり、例えば、参照用パッチ画像の中心座標である。取得対象映像信号は、例えば、画像処理が施されていない映像信号や、各画像処理回路から出力された映像信号である。即ち、本実施形態では、取得対象映像信号には、第１画像処理部１１１に入力される映像信号Ａ、第１画像処理部１１１から出力された映像信号Ｂ、第２画像処理部１１２から出力された映像信号Ｃの３種類がある。本実施形態では、取得対象映像信号により、複数の画像処理部から、パラメータの調整対象となる１つの画像処理部が選択される。
【００２８】
例えば、画質調整ＧＵＩ実行部１０６は、取得対象座標として、パッチ生成部１０４により生成された参照用パッチ画像の中心座標を、取得対象映像信号として、映像信号Ｂおよび映像信号Ｃを表す情報を画素値取得部１１４に通知する。それにより、第１画像処理部１１１が選択され、画素値取得部１１４により、選択された画像処理部（第１画像処理
部１１１）に入力される画像（参照用パッチ画像）の画素値及び選択された画像処理部から出力される参照用パッチ画像の画素値が取得される。
【００２９】
最後に、画質調整ＧＵＩ実行部１０６は、ＧＵＩ生成部１０７に対して画質調整ＧＵＩの更新を指示し（Ｓ３０７）、Ｓ３０１へ戻る。画質調整ＧＵＩの更新は、例えば、表示するユーザ設定値の変更や選択されている画質調整項目の変更等である。
【００３０】
次に、ＧＵＩ生成部１０７について詳細に説明する。図４は、ＧＵＩ生成部１０７の構成の概略を表すブロック図である。
生成制御部４０１は、画質調整ＧＵＩ実行部１０６からの指示に応じて画質調整ＧＵＩの生成を制御する。具体的には、生成制御部４０１は、ＧＵＩパーツ生成部４０２およびパッチ生成部４０３に画質調整ＧＵＩの生成を指示する。
【００３１】
ＧＵＩパーツ生成部４０２は、画質調整ＧＵＩにおける画像処理前の画像（パッチ画像）及び画像処理後の画像（パッチ画像）以外の部分（ＧＵＩパーツ）を生成する。ＧＵＩパーツは、例えば、現在選択されている画質調整項目やユーザ設定値を表す文字列や背景等である。
【００３２】
パッチ生成部４０３は、画素値取得部１１４より取得した画素値を用いて画像処理前のパッチ画像及び画像処理後のパッチ画像を生成する。即ち、選択された画像処理部に入力される参照用パッチ画像の画素値及び選択された画像処理部から出力される参照用パッチ画像の画素値をそれぞれ用いて、画像処理前のパッチ画像及び画像処理後のパッチ画像を生成する。本実施形態では、選択された画像処理部に入力される参照用パッチ画像の画素値及び選択された画像処理部から出力される参照用パッチ画像の画素値が、それぞれ、画像処理前のパッチ画像の画素値及び画像処理後のパッチ画像の画素値とされる。
【００３３】
ＧＵＩ合成部４０４は、ＧＵＩパーツ生成部４０２およびパッチ生成部４０３のからの指示に応じて、画質調整ＧＵＩ（ＧＵＩデータ）の生成を行う。具体的には、ＧＵＩ合成部４０４は、ＧＵＩパーツ、画像処理前のパッチ画像、及び、画像処理後のパッチ画像を取得し、それらを合成すると共に、矩形や線分の生成や塗りつぶし等を行うことにより画質調整ＧＵＩを生成する。生成された画質調整ＧＵＩは、グラフィックス信号として第２合成部１１３へ出力される。その結果、生成された画像処理前のパッチ画像及び画像処理後のパッチ画像が表示部で表示される。
【００３４】
図５は、ＧＵＩ生成部１０７の処理を表すフロー図である。
まず、ＧＵＩ生成部１０７は、画質調整ＧＵＩ実行部１０６より画質調整ＧＵＩの生成が指示されるのを待つ（Ｓ５０１）。画質調整ＧＵＩの生成が指示されると、ＧＵＩ生成部１０７は、ＧＵＩパーツを生成する（Ｓ５０２）。
次に、ＧＵＩ生成部１０７は、画素値取得部１１４より、選択された画像処理部に入力される参照用パッチ画像の画素値（画像処理前画素値）及び選択された画像処理部から出力される参照用パッチ画像の画素値（画像処理後画素値）を取得する（Ｓ５０３）。そして、取得した画素値を用いて画像処理前のパッチ画像及び画像処理後のパッチ画像を生成する（Ｓ５０４）。
そして、ＧＵＩ生成部１０７は、ＧＵＩパーツ、画像処理前のパッチ画像、及び、画像処理後のパッチ画像を合成すると共に、矩形や線分の生成や塗りつぶしを行い、画質調整ＧＵＩを生成する。
【００３５】
次に、第１画像処理部１１１および第２画像処理部１１２について詳細に説明する。第１画像処理部１１１の概略構成と第２画像処理部の概略構成は同様であるため、同一の図を用いて説明する。図６は、第１画像処理部１１１および第２画像処理部１１２の概略構
成を表すブロック図である。
【００３６】
画像入力部６０１は、外部より映像信号を取得し、画像処理部６０２へ出力する。
画像処理部６０２は、入力された映像信号に画像処理を施し、画像出力部６０３へ出力する。第１画像処理部１１１と第２画像処理部１１２とでは画像処理部６０２による処理内容が異なる。画像処理部６０２は、画素値取得処理部６０４からの要求に応じて、入力された映像信号および出力する映像信号の内、任意の座標の画素値を画素値取得処理部６０４へ出力する。
画像出力部６０３は、画像処理部６０２より受け取った映像信号を外部へ出力する。
画素値取得処理部６０４は、画素値取得部１１４からの要求に応じて、画像処理部６０２より画素値を取得する。
【００３７】
次に、画素値取得部１１４について詳細に説明する。図７は、画素値取得部１１４の概略構成を表すブロック部である。
画素値取得情報受信部７０１は、画質調整ＧＵＩ実行部１０６より、画素値取得情報を受信する。画素値取得情報受信部７０１は、受信した画素値取得情報のうち、画像処理前の画素値に関する情報を第１取得部７０２に、画像処理後の画素値に関する情報を第２取得部７０３へ出力する。具体的には、選択された画像処理部に入力される映像信号及び取得する画素値の座標を表す情報を第１取得部７０２へ、選択された画像処理部から出力される映像信号及び取得する画素値の座標を表す情報を第２取得部７０３へ出力（設定）する。
【００３８】
第１取得部７０２および第２取得部７０３は、設定された情報に応じて第１画像処理部１１１または第２画像処理部１１２から画素値を取得し、画素値記憶部７０４へ送信する。
画素値記憶部７０４は、第１取得部７０２および第２取得部７０３より受信した画素値をそれぞれ、画像処理前画素値および画像処理後画素値として記憶する。
画素値取得要求受信部７０５は、ＧＵＩ生成部１０７からの要求に応じて画素値記憶部７０４に記憶されている画像処理前画素値および画像処理後画素値を取得し、ＧＵＩ生成部１０７へ送信する。
【００３９】
以上述べたように、本実施形態では、調整対象となる１つの画像処理部が選択され、選択された画像処理部に入力される画像の画素値及び選択された画像処理部から出力される画像の画素値をそれぞれ用いて、画像処理前の画像及び画像処理後の画像が生成される。それにより、画像処理前の画像の画素値と画像処理後の画像の画素値の差分と、調整中の画像処理の効果を一致させることができる。そのため、画像処理の効果を容易に認識可能な画質調整ＧＵＩを表示することができ、ひいてはユーザの利便性を向上することができる。
【００４０】
なお、本実施形態では、画像処理前の画像及び画像処理後の画像として、パッチ画像を生成する構成としたが、生成する画像はパッチ画像に限らない。例えば、所定のパターンを有するパターン画像であってもよい。同様に、参照用の画像もパッチ画像（参照用パッチ画像）に限らない。
なお、本実施形態では、参照用の画像、画像処理前の画像、及び、画像処理後の画像を映像信号に合成する構成としたが、そのような合成は行わなくてもよい。例えば、参照用の画像（任意の画像）に画像処理を施し、画像処理前画素値及び画像処理後画素値を取得してもよい。そして、取得したそれらの画素値を用いて生成された、画像処理前の画像及び画像処理後の画像のみを表示部で表示してもよい。
なお、本実施形態では、画像処理前画素値及び画像処理後画素値を、それぞれ、画像処理前のパッチ画像の画素値及び画像処理後のパッチ画像の画素値とする構成について説明
したが、そのような構成でなくてもよい。例えば、画像処理前画素値及び画像処理後画素値に所定のオフセット値を加算して、加算結果を、それぞれ、画像処理前のパッチ画像の画素値及び画像処理後のパッチ画像の画素値としてもよい。
なお、本実施形態では、映像信号が放送信号の場合について説明したが、映像信号は放送信号に限らない。例えば、映像信号は、他の機器（ＤＶＤプレーヤ、ハードディスクレコーダなど）で生成された映像信号であってもよい。
【符号の説明】
【００４１】
１０６  画質調整ＧＵＩ実行部
１０７  ＧＵＩ生成部
１１１  第１画像処理部
１１２  第２画像処理部
【図１】
0005669456.tif 000002
【図２】
0005669456.tif 000003
【図３】
0005669456.tif 000004
【図４】
0005669456.tif 000005
【図５】
0005669456.tif 000006
【図６】
0005669456.tif 000007
【図７】
0005669456.tif 000008
【図８】
0005669456.tif 000009